(57)【要約】【課題】ユーザ同士の会話を行わせるようにしたネットワークチャットサービス等において、ユーザが簡単な操作で自分とよく似た顔立ちのアバターが得られるようにする。【解決手段】ネットワークを通じてユーザ端末器２０、２１から送信されてきたユーザ顔面の写真データ４１を受け付け、写真データ４１からユーザ顔面の部分をアバターの顔パーツ４３として抽出し、抽出した顔パーツ４３の肌色を調節して所定の体パーツ４６に色合わせし、更に、その顔パーツ４３と体パーツ４６とを組み合わせる。【選択図】図１
2009223419.tif 000002
【特許請求の範囲】
【請求項１】
ネットワークを通じて、ユーザ端末器からの依頼に基づいて、送信されてきたユーザの顔面を含んだ写真データを、ネットワーク上に設置したサービス提供者の通信サイトで受け付けるステップと、
受け付けた写真データから顔面部分を顔パーツとして抽出加工して、予め準備されているアバターの体パーツと色合わせし、該顔パーツと該体パーツとを組み合わせて、特定ユーザ専用のリアルアバターを作成するステップとを備えたアバターの作成編集方法。
【請求項２】
ネットワークを通じて、ユーザ端末器からの依頼に基づいて、送信されてきた任意の画像データを、ネットワーク上に設置したサービス提供者の通信サイトで受け付けるステップと、
受け付けた画像データから顔面部分を顔パーツとして抽出加工して、予め準備されているアバターの体パーツと色合わせし、該顔パーツと該体パーツとを組み合わせて、特定ユーザ専用のユニークアバターを作成するステップとを備えたアバターの作成編集方法。
【請求項３】
ユーザ毎に割り当てた、複数のアバターを、ネットワーク上の会話画面に登場させ、ユーザから送信されてきたメッセージを、前記会話画面を通じて表示、出力させることによりユーザ同士で会話を行わせるようにしたネットワークチャットサービスにおいて、ユーザ毎に割り当てたアバターとして、請求項１または２に記載のアバターの作成編集方法で作成したアバターを用いることを特徴としたネットワークチャットサービス。
【請求項４】
請求項３において、
前記サービス提供者の通信サイトは、前記ユーザ端末器からのログインを受けて、前記写真データを直接受信するウェブサーバを備え、
請求項１または２に記載のアバターの作成編集方法は、該ウェブサーバで前記写真データを受け付けることを特徴としたネットワークチャットサービス。
【請求項５】
請求項３において、
前記サービス提供者の通信サイトは、前記ユーザ端末器から前記写真データが添付された電子メールを受信するメールサーバを備え、
請求項１または２に記載のアバターの作成編集方法は、該メールサーバで前記写真データを受け付けることを特徴としたネットワークチャットサービス。
【請求項６】
請求項３〜５のいずれかにおいて、
前記アバター同士の会話は、前記ユーザ端末器で音声出力されるものであることを特徴としたネットワークチャットサービス。
【請求項７】
ユーザ毎に割り当てた、複数のアバターを、ネットワーク上の会話画面に登場させ、ユーザから送信されてきたメッセージを、前記会話画面を通じて表示、出力させることによりユーザ同士で会話を行わせるようにした、チャットサービスシステムにおいて、
ユーザのログインを受け付けるログイン画面を表示させるウェブサーバと、
ログインしているユーザに対応させたアバターを表示させて、ユーザ端末器から送信されるメッセージと、アバターのアクション指示を受け付けて、アバター同士の会話とアバターの動作を会話画面上に展開させるチャット画面生成手段と、
ユーザの登録情報を蓄積したユーザデータベースと、
ユーザのアバターを作成し、編集するためのアバター編集手段と、
ユーザ端末器からの依頼に基づいて、送信されてきたユーザの顔面を含んだ写真データが添付された電子メールを受け付けるメールサーバとを備え、
前記アバター編集手段は、前記写真データから顔面部分をアバターの顔パーツとして抽出し、抽出した顔面部分を予め準備している体パーツに色合わせして、該顔パーツと該体パーツとを組み合わせて、特定ユーザ専用のリアルアバターを作成するようにしたチャットサービスシステム。
【請求項８】
請求項７において、
前記メールサーバに替えて、前記ウェブサーバで前記ユーザ端末器からアップロードされた写真データを受け付けるようにしているチャットサービスシステム。
【請求項９】
サービス提供者の通信サイトに予め用意した画像データを、ネットワーク上で提供するネットワークサービスにおいて、
請求項１または２に記載のアバターの作成編集方法で作成したアバターを前記通信サイトに画像データとして保存しておき、該通信サイトにアクセスしたユーザに対して、所定の条件でユーザの望む利用形態で画像データをダウンロードさせ、あるいはネットワーク上での使用を許可させるようにしたことを特徴としたネットワークサービス。
【発明の詳細な説明】
【技術分野】
【０００１】
本発明は、ユーザに対応したアバターを、ネットワーク上で生成された会話画面上に登場させ、ユーザ間でチャットを行わせるようにしたネットワークサービスに関する。
【背景技術】
【０００２】
近時、チャットやオンラインゲーム等のネットワークサービスでは、服装や髪型等が編集可能なアバターをユーザ毎に割り当てておき、ネットワーク上で生成された擬似的な生活環境や、背景画像上に複数のユーザのアバターを同時に表示して、ユーザ間でアバターをアクションさせ、会話を楽しむネットワークサービスが登場している。次の非特許文献１、２、３は、そのようなネットワークサービスの例である。
【非特許文献１】http://j-chat.net/
【非特許文献２】http://maplestory.nexon.co.jp/beginner/
【非特許文献３】http://www.secondlifewalker.com/
【発明の開示】
【発明が解決しようとする課題】
【０００３】
そのようなネットワークサービスでは、ユーザは自分の好みに合わせてアバターを作成、編集することできるが、ほとんどのシステムでは、予め準備された顔パーツ、体パーツ、髪型パーツ等から好みのものを選択する程度に過ぎず、そのため、ユーザの独自性や自己顕示欲を十分に充たせ、アバターに親近感を持たせることができなかった。
また、アバターの編集では、デフォルトの顔パーツの造作を細かく編集可能にすることも可能であるが、目、鼻、口等を１つ１つ編集するには膨大な手間がかかるため、あまり現実的ではない。そのため、現実には、同じ会話画面上に、服装や髪型が異なっても、同じ顔の登場人物が表示されることもあり、ユーザのアイデンティティが充分に反映されず、ユーザの親しみが少なく、すぐに飽きが来る要因になっている。
そこで、本発明は、ユーザの依頼に基づいて、ユーザとよく似た顔立ちのアバターを作成し、チャットに登場させることが出来るネットワークサービスを提供する方法およびシステムを提供することを目的とする。
【０００４】
また本発明は、アバターの顔パーツとして、動物等、任意の画像データから顔部分を用いたアバターを作成する方法を提供することも目的とする。
【０００５】
また本発明は、サービス提供者の通信サイトに予め用意した画像データを、所定の操作によってダウンロードさせるネットワークサービスにおいて、その画像データとして、ユーザとよく似た顔立ちのアバターを作成する画像データの生成編集方法を提供することも目的とする。
【課題を解決するための手段】
【０００６】
第１の本発明は、アバターの作成編集方法において、ネットワークを通じて、ユーザ端末器からの依頼に基づいて、送信されてきたユーザの写真データを、ネットワーク上に設置したサービス提供者の通信サイトで受け付けるステップと、受け付けた写真データから顔面部分を顔パーツとして抽出加工して、予め準備されているアバターの体パーツと色合わせし、該顔パーツと該体パーツとを組み合わせて、特定ユーザ専用のリアルアバターを作成するステップとを備えた。
【０００７】
第２の本発明は、アバターの作成編集方法において、ネットワークを通じて、ユーザ端末器からの依頼に基づいて、送信されてきた任意の画像データを、ネットワーク上に設置したサービス提供者の通信サイトで受け付けるステップと、受け付けた画像データから顔面部分を顔パーツとして抽出加工して、予め準備されているアバターの体パーツと色合わせし、該顔パーツと該体パーツとを組み合わせて、特定ユーザ専用のユニークアバターを作成するステップとを備えた。
【０００８】
また、本発明によるネットワークチャットサービスは、ユーザ毎に割り当てた、複数のアバターを、ネットワーク上の会話画面に登場させ、ユーザから送信されてきたメッセージを、前記会話画面を通じて表示、出力させることによりユーザ同士で会話を行わせるようにしたネットワークチャットサービスにおいて、ユーザ毎に割り当てたアバターとして、前記アバターの作成編集方法で作成したアバターを用いる。
【０００９】
ここに、前記サービス提供者の通信サイトは、前記ユーザ端末器からのログインを受けて、前記写真データを直接受信するウェブサーバを備え、前記アバターの作成編集方法は、該ウェブサーバで前記写真データを受け付けてもよい。
【００１０】
あるいは、前記サービス提供者の通信サイトは、前記ユーザ端末器から前記写真データが添付された電子メールを受信するメールサーバを備え、前記アバターの作成編集方法は、該メールサーバで前記写真データを受け付けてもよい。
【００１１】
なお、前記ネットワークチャットサービスにおいて、前記アバター同士の会話は、ユーザ端末器で音声出力されるものであってもよい。
【００１２】
また、ユーザ毎に割り当てた、複数のアバターを、ネットワーク上の会話画面に登場させ、ユーザから送信されてきたメッセージを、前記会話画面を通じて表示、出力させることによりユーザ同士で会話を行わせるようにしたチャットサービスシステムにおいて、ユーザのログインを受け付けるログイン画面を表示させるウェブサーバと、ログインしているユーザに対応させたアバターを表示させて、ユーザ端末器から送信されるメッセージと、アバターのアクション指示を受け付けて、アバター同士の会話とアバターの動作を会話画面上に展開させるチャット画面生成手段と、ユーザの登録情報を蓄積したユーザデータベースと、ユーザのアバターを作成し、編集するためのアバター編集手段と、ユーザ端末器からの依頼に基づいて、送信されてきたユーザの写真データが添付された電子メールを受け付けるメールサーバとを備え、前記アバター編集手段は、前記写真データから顔面部分をアバターの顔パーツとして抽出し、抽出した顔面部分を予め準備している体パーツに色合わせして、該顔パーツと該体パーツとを組み合わせて、特定ユーザ専用のリアルアバターを作成するようにしてもよい。
【００１３】
ここに、前記チャットサービスシステムは、前記メールサーバに替えて、前記ウェブサーバで前記ユーザ端末器からアップロードされた写真データを受け付けるようにしてもよい。
【００１４】
また、サービス提供者の通信サイトに予め用意した画像データを、ネットワーク上で提供するネットワークサービスにおいて、前記アバターの作成編集方法で作成したアバターを通信サイトに画像データとして保存しておき、該通信サイトにアクセスしたユーザに対して、所定の条件でユーザの望む利用形態で画像データをダウンロードさせ、あるいはネットワーク上での使用を許可させるようにしてもよい。
【発明の効果】
【００１５】
第１の本発明によれば、ユーザは自分の写真データを通信サイトに送信するだけで、その写真データからアバターの顔パーツが生成され、他の体パーツに組み合わされて、オリジナルなアバターが作成され、会話画面上に登場するので、ユーザには手間をかけることなく、自分とよく似た顔立ちのリアルアバターを得ることができる。
【００１６】
第２の本発明によれば、動物の写真、あるいはイラスト等、任意の画像データを通信サイトに送信するだけで、その画像データからアバターの顔パーツが生成され、他の体パーツに組み合わされて、オリジナルなユニークアバターが作成できるので、自分の顔は人に見せたくないが、人とは違うアバターを得たいというようなユーザの希望も満たされる。
【００１７】
本発明によるネットワークチャットサービス、あるいはチャットサービスシステムでは、自分とよく似た顔立ちのリアルアバター、あるいはリジナルなユニークアバターを使えるので、ユーザは、自分のアバターに対してより深く感情移入することができ、また、知人などのアバターに対してもより親しみを感じることができる。
【００１８】
サービス提供者の通信サイトがユーザ端末器からアップロードされた写真データを受け付けるウェブサーバを備えた構成では、パーソナルコンピュータに蓄積している写真データから自由に選択してアップロードできるので、より好みに合致したアバターを得ることができる。
【００１９】
また、サービス提供者の通信サイトが写真データを添付したメールを受け付けるメールサーバを備えた構成では、カメラ付携帯電話機等によって、自分の顔を撮影し、その写真データをメールに添付してメールサーバに送信すればよいので、非常に手軽である。
【００２０】
また、アバター同士の会話がユーザ端末器で音声出力される構成では、耳で聞くだけで会話相手のメッセージが理解でき、会話画面のメッセージに集中する必要がなくなるので、長時間のチャットでも疲労が少なくなる。
【００２１】
また、サービス提供者の通信サイトに予め用意した画像データを、所定の操作によってダウンロードさせるネットワークサービスにおいて、第１、あるいは第２の本発明によって作成したアバターを前記画像データとして保存して利用可能な形式で提供する構成では、リアルアバターあるいはユニークアバターを、ブログやＷＥＢサイトに直接、あるいはタグによって貼り付け可能な画像、携帯電話用の各種画像、待ち受け画像、デコメール用画像、メニュー画像、パーソナルコンピュータ用設定画像、壁紙画像、クリーンセーバー用画像等として利用が可能であり、ブログやＷＥＢサイトの作成、携帯電話の利用、パーソナルコンピュータの利用等が楽しく行えるようになる。
【発明を実施するための最良の形態】
【００２２】
図１は、本発明においてリアルアバターを作成する際になされる写真データに対する処理を示した原理図である。
本発明によるアバターの作成編集方法は、ネットワークを通じて送信されてきた写真データ４１を受け付けるステップと、受け付けた写真データ４１から顔面部分を顔パーツ４３として抽出加工して、予め準備されているデフォルトアバター４４の体パーツ４６と色合わせし、その顔パーツ４３と体パーツ４６とを組み合わせて、特定ユーザ専用のリアルアバター４５を作成するステップとで構成されている。
【００２３】
より詳細には、リアルアバター４５を作成するため、まず、受け付けた写真データ４１の解像度を変更し所定サイズまで縮小した縮小写真データ４２を生成する。この際には、アンシャープ処理、減色処理等も行って、デフォルトアバター４４のタッチと調和させるとよい。次いで、縮小写真データ４２から顔面部分を顔パーツ４３として抽出する。顔面部分は、例えば輪郭検出処理等によって判別する。そして、その顔パーツ４３とデフォルトアバター４４の体パーツ４６とを組み合わせてリアルアバター４５とする。リアルアバター４５は、デフォルトアバター４３の顔パーツ４３以外のパーツ、つまり体パーツ４６、服装、髪型等のパーツをそのまま継承する。
【００２４】
図２は、本発明によるチャットサービスシステムの概略構成を説明するシステム図である。
通信サイト１は、ログイン画面等を表示させるウェブサーバ１１と、ログインしているユーザをアバターとして表示した会話画面を生成する画面生成手段１２と、ユーザの登録情報を蓄積したユーザデータベース１３と、ユーザのアバターを作成し編集するためのアバター編集手段１４と、写真データ４１を添付したメールを受け付けるメールサーバ１５とで構成されており、ユーザ端末器２０やユーザのカメラ付携帯電話機（ユーザ端末器）２１が、インターネット３０を介してこの通信サイト１に接続するようになっている。
【００２５】
ウェブサーバ１１は、ログイン画面やユーザ情報登録画面等をユーザ端末器２０に表示させるが、更に、ユーザ端末器２０から、アバターのアクション指示や会話として表示すべきメッセージを受け付けて画面生成手段１２に伝送する一方、画面生成手段１２が生成した会話画面を中継する機能を有する。このウェブサーバ１１は、例えばｈｔｔｐｄ（登録商標）等で構成できる。
【００２６】
画面生成手段１２は、ユーザ端末器２０から送信されるメッセージと、アバターのアクション指示をウェブサーバ１１を通じて受け付けて、アバター同士の会話とアバターの動作を会話画面上に展開させる。すなわち、図示しないデータベースに蓄積されている会話画面の背景画像とユーザデータベース１３に格納されているユーザのアバター構成情報とを参照して、背景画像上で各ユーザのアクション指示に応じて複数のアバターを同時に移動、アクションさせたり、ユーザのメッセージをアバターの台詞のように表示したりする動画を生成する。この動画は、ウェブサーバ１１を通じてユーザ端末２０へリアルタイムに送信させる。このような画像生成手段１２は、例えばＦｌａｓｈサーバ（登録商標）等で構成できる。
【００２７】
ユーザデータベース１３は、ユーザ毎の登録情報として、氏名、住所等のユーザ個人情報、ログインＩＤ、パスワード、更に、アバターの構成情報等を登録している。ここでは、男性用のデフォルトアバター４４、女性用のデフォルトアバター４４を予め準備しておき、登録されたユーザの性別に基づいて、そのいずれかを選択して、アバターの構成情報として自動的に登録することが望ましい。
【００２８】
アバター編集手段１４は、例えば汎用の画像処理プログラムと、その画像処理プログラムを自動操作するためのスクリプト等で構成できるが、もちろん専用のプログラムとしてもよい。アバター編集では、肌色の調整、衣服の交換、髪型の変更、小物アイテムの付加等が可能である。このような編集を容易にするため、デフォルトアバター４４は、パーツ毎のレイヤによって構成されている。また、図１について説明したように、写真データ４１から抽出した顔面部分からなる顔パーツ４３と、デフォルトアバター４４の体パーツ４６とを組み合わせて、特定ユーザ専用のアバターを生成することも可能である。
【００２９】
メールサーバ１５は、定文メールをユーザデータベース１３に登録されたメールアドレス宛に自動送信する機能を有しており、ユーザがこのメールに対して写真データ４１を添付して返信すれば、そのメールから写真データ４１を取り出して、アバター編集手段１４に伝送する。メールアドレスは、ユーザ端末器２０のメールアドレスでもよいが、カメラ付携帯電話機２１のメールアドレスとしておけば、ユーザによる自分自身の写真撮影が容易になる。なお、メールサーバ１５は、例えばｑｍａｉｌ（登録商標）等によって構成できる。
しかしながら、メールサーバ１５に替えて、ユーザ端末器２０等からアップロードされてくる写真データ４１を受け付けるファイルサーバを設けてもよく、あるいはそのファイルサーバをウェブサーバ１１で兼用してもよい。
【００３０】
なお、メールサーバ１５では、受け付けたメールをユーザ毎に仕分けするようにしておけば、オペレータがそのメールから写真データ４１を手動で取り出して画像処理プログラムに入力するような構成としたときに、別人の写真データ４１からリアルアバター４５を作成してしまうようなミスが防止できる。
【００３１】
ユーザ端末器２０は、例えばパーソナルコンピュータ等で構成され、ウェブブラウザによって、ログイン画面や会話画面を表示するが、ウェブブラウザには、画面生成手段１２が生成する動画フォーマットに対応したプラグインプログラムが組み込まれている。ここで、ユーザがキーボード、マウス等でアバターを操作し、キーボートからメッセージを入力すると、そのアクション指示やメッセージがウェブブラウザを通じて、ウェブサーバ１１に送信される。
【００３２】
図３は、本発明によるネットワークチャットサービス全体の処理手順を説明するフロー図である。なお、図では、画面生成手段１２に関連する手順、ウェブサーバ１１に関連する手順、メールサーバ１５およびアバター編集手段１４に関連する手段、カメラ付携帯電話機２１に関連する処理を区分したフローとして示している。
このフローでは、まず、ウェブサーバ１１によって新規ユーザ登録画面が表示され、ここで入力された個人情報等は、ユーザデータベース１３に登録される。このとき、ユーザデータベース１３には、デフォルトアバター４４の構成情報も登録される。（ステップ１０１、２０１）。次いでログイン画面が表示され、ユーザＩＤ、パスワード等によるユーザ認証がなされたあと、ユーザは会話画面に進むか、あるいはプロファイル編集画面に進むか選択できる（ステップ１０２）。
会話画面は、画面生成手段１２によって生成される。この画面では、ユーザは、アバターを操作したり、画面に表示されたメッセージにより他のユーザと会話したりできる。なお、この時点では、デフォルトアバター４４が表示されている（ステップ３０１）。
一方、プロファイル編集画面は、ユーザの個人情報の編集部が用意されているが、更にそこからアバター編集画面を開くこともできる。アバター編集画面では、アバターの衣服、髪型、肌色等が編集でき、またリアルアバター４５の作成を依頼するためリンク等も用意されている（ステップ１０３）。
ここで、リアルアバター４５の作成が依頼された場合は、その依頼がメールサーバ１５に伝送され、メールサーバ１５は、ユーザのカメラ付携帯電話２１宛てに定文メールを自動送信する（ステップ２０２）。
その定文メールは、カメラ付携帯電話２１で受信され、ユーザは、カメラ付携帯電話機２１のデジカメ機能によって自分自身を撮影し、定文メールに対して、その写真データ４１を添付したメールを返信する（ステップ４０１〜４０３）。
メールサーバ１５は、返信されてきたメールを受信すると、スクリプト処理等によってそこから写真データ４１を取り出してアバター編集手段１４に伝送する（ステップ２０３、２０４）。
アバター編集手段１４は、その写真データ４１の解像度を下げると共に所定の大きさにサイズ変更してから、顔面部分をアバターの顔パーツ４３として抽出し、その顔パーツ４３の肌色を調節して既存の体パーツ４６に色合わせし、その顔パーツ４３と体パーツ４６とを組み合わせて完成したリアルアバター４５の構成情報をユーザデータベース１３に登録する。このときデータベースの更新では、既存の体パーツ等はそのままにして、顔パーツのみを更新するようにしてもよい。なお、リアルアバターの作成が完了した時点で、それを通知するメールをユーザのカメラ付携帯電話２１に送信するようにしてもよい（ステップ２０５〜２０９）。
リアルアバター４５の構成情報によってユーザデータベース１３が更新された後は、会話画面にリアルアバター４５が表示されるようになる（ステップ３０１）。
【００３３】
次いで、会話画面の構成を図に従って説明する。
図４、図５は、それぞれ広域表示状態と詳細表示状態の会話画面の例である。
広域表示状態では、会話画面は上下に分割されており、その上側には、複数のショップが並んだ仮想モール５１が広範囲に表示され、その仮想モール５１を背景として、ログインしているユーザのアバターが移動する。個々のユーザのアバターは、デフォルトアバター４４の場合もあり、リアルアバター４５の場合もある。
一方、下側には、各アバターの頭部が拡大表示されている。この拡大表示されたアバターは、リアルアバター４５であれば、ユーザの写真データ４１から生成した顔パーツ４３を備えている。また、詳細表示状態では、仮想モール５１のショップあるいはユーザに割り当てられた居室の内部５２が詳細に表示され、またアバターの全身も拡大表示されている。会話のメッセージは、広域表示状態の下側の画面中にアバターの吹き出しとして表示される。しかしながら、メッセージを表示する以外に、ユーザ端末器２０で音声出力するようにしてもよい。この場合には、ユーザ端末器２０に備えられたマイクによって集音したユーザの声を音声データとして、ウェブサーバ１１に送信し、またウェブサーバ１１から送信されてきた音声データをユーザ端末器２０に備えられたスピーカから再生する。
【００３４】
なお上記実施例では、アバターの顔パーツをユーザの写真データから作成していたが、アバターの顔パーツは、上記実施例と同様の方法によって、任意の画像、例えば動物の写真やイラスト等からも作成することも可能である。すなわち、ユーザから受け付けた画像データから顔面部分を顔パーツとして抽出加工して、予め準備されているアバターの体パーツと色合わせし、該顔パーツと該体パーツとを組み合わせて、特定ユーザ専用のユニークアバターを作成してもよい。
【００３５】
また、本発明によるアバターの作成編集方法は、サービス提供者の通信サイト１に予め用意した画像データを、ネットワーク上で提供するようなネットワークサービスのための画像データの作成に適用することもできる。すなわち、ネットワークを通じて、ユーザ端末器２０からの依頼に基づいて、送信されてきたユーザの顔面を含んだ写真データ４１を、通信サイト１で受け付け、受け付けた写真データ４１から顔面部分を顔パーツ４３として抽出加工して、予め準備されているアバターの体パーツ４６と色合わせし、顔パーツ４３と体パーツ４６とを組み合わせて、特定ユーザ専用のリアルアバター４５を作成し、このリアルアバター４５をユーザにダウンロードさせる画像データとして保存する。そして、通信サイト１にユーザがアクセスしたときには、他の画像データと共に所定の画像選択画面に表示され、その画面上で選択操作するなど、所定の条件でユーザの望む利用形態で画像データをダウンロードさせ、あるいはネットワーク上での使用を許可させる。
【００３６】
リアルアバター４５は、ＪＰＥＧあるいはＧＩＦ等のファイル形式でダウンロードさせるほか、ファイルを通信サイト１、あるいは他のサービスサーバ上に保存し、ＨＴＭＬのタグ等よってリンクすることで、ユーザ端末器２０、２１の画面上に表示させることもできる。また、静止画だけでなく、所定のアニメーション動作を表示するため複数の姿態を表す複数の画像をまとめたものを提供することも可能であり、後者の場合には、アニメーション表示のアバターを表示させて使用できる。具体的には、リアルアバター４５は、ブログやＷＥＢサイトに直接、あるいはタグによって貼り付け可能な画像、携帯電話用の各種画像、待ち受け画像、デコメール用画像、メニュー画像、パーソナルコンピュータ用設定画像、壁紙画像、クリーンセーバー用画像等として利用できる。
【図面の簡単な説明】
【００３７】
【図１】本発明においてリアルアバターを作成する際になされる写真データに対する処理を示した原理図である。
【図２】本発明によるチャットサービスシステムの概略構成を説明するシステム図である
【図３】本発明によるネットワークチャットサービス全体の処理手順を説明するフロー図である。
【図４】広域表示状態とされた会話画面の例である。
【図５】詳細表示状態とされた会話画面の例である。
【符号の説明】
【００３８】
１    通信サイト
１１  ウェブサーバ
１２  画面生成手段
１３  ユーザデータベース
１４  アバター編集手段
１５  メールサーバ
２０、２１  ユーザ端末器
４１  写真データ
４３  顔パーツ
４５  リアルアバター
４６  体パーツ
【図１】
2009223419.tif 000003
【図２】
2009223419.tif 000004
【図３】
2009223419.tif 000005
【図４】
2009223419.tif 000006
【図５】
2009223419.tif 000007